(57)【要約】【課題】  材料のロスが少なく、伸縮性を付与し易く、厚み等の自由度が大きく、製造コストを抑えることができる合成樹脂製ネットの製造方法を提供する。【解決手段】  の本発明の合成樹脂製ネットの製造方法は、熱可塑性の合成樹脂製シートに複数のスリットを設ける第１の工程と、設けられたスリットを穴形状に変化させる力が付与された状態で加熱成形する第２の工程とを含む。合成樹脂製シートにシート状物品をラミネートする第３の工程をさらに有することは好ましい。【選択図】      図１
2011020358.tif 000002
【特許請求の範囲】
【請求項１】
熱可塑性の合成樹脂製シートに複数のスリットを設ける第１の工程と、
設けられたスリットが穴形状に変化する力が付与された状態で加熱成形する第２の工程と
を含むことを特徴とする合成樹脂製ネットの製造方法。
【請求項２】
上記合成樹脂製シートにシート状物品をラミネートする第３の工程をさらに有することを特徴とする請求項１に記載の合成樹脂製ネットの製造方法。
【請求項３】
上記第１の工程では、上記合成樹脂製シートの一部の領域に対して複数のスリットを設け、スリットが設けられている領域とスリットが設けられていない領域とを混在させることを特徴とする請求項１又は２に記載の合成樹脂製ネットの製造方法。
【請求項４】
熱可塑性の合成樹脂製シートに複数のスリットを設けた後、設けられたスリットが穴形状に変化する力が付与された状態で加熱成形することにより製造されたことを特徴とする合成樹脂製ネット。
【発明の詳細な説明】
【技術分野】
【０００１】
本発明は合成樹脂製ネットの製造方法及び合成樹脂製ネットに関し、例えば、シート状若しくは任意形状を有する合成樹脂製ネットや、そのような合成樹脂製ネットの少なくとも一面に生地等のシート状物品を有する物品の製造に適用し得る。
【０００２】
なお、この明細書において、「合成樹脂製ネット」という用語は、シート状物品が付かない合成樹脂製ネットだけでなく、場合によっては、シート状物品を有する合成樹脂製ネットをも意味するものとする。
【背景技術】
【０００３】
従来の合成樹脂製ネットの製造方法は概ね４種類に分類することができる。第１は、合成樹脂製シートに対して、打ち抜き等によって穴開けを行ってネットを形成する方法である（特許文献１参照）。第２は、合成樹脂製の線材を編むことでネットを形成する方法である。この方法の変形例として、押し出し成形を利用した方法を挙げることができる。すなわち、複数箇所から樹脂を押し出して線材を形成させながら、同時に形成された線材を絡ませてネットを形成する方法である（特許文献２参照）。第３は、射出成形によって直接合成樹脂製ネットを形成する方法である（特許文献３参照）。第４は、多数の山形の突起部分を配列した中間部材を成形によって形成した後、全ての山形の突起部分を麓側で切断することによってそこに穴を開けてネットを形成する方法である。
【先行技術文献】
【特許文献】
【０００４】
【特許文献１】特開２００１−３２３４６９
【特許文献２】特開平１０−２７２７０３
【特許文献３】特開平９−３９１１４
【発明の概要】
【発明が解決しようとする課題】
【０００５】
第１の方法の場合、打ち抜かれた部分が全て不要なカスとなってしまい、材料のロスが大きい。また、合成樹脂製シートが、打ち抜きに耐えられる強度を有しているため、形成された合成樹脂製ネットが伸縮性に乏しいものとなり易い。
【０００６】
第２の方法の場合、この方法を実行する装置が複雑で高価なものになり易い。また、種々の厚みを有する合成樹脂製ネットを同じ装置構成で形成するのは難しいという課題を有する。
【０００７】
第３の方法の場合も、この方法を実行する装置が複雑で高価なものになり易い。多様な合成樹脂製ネットを形成する場合、種類毎に高価な金型が必要になってしまう。また、この方法で形成した合成樹脂製ネットが伸縮性に乏しいものとなり易い。
【０００８】
第４の方法の場合も、切断されて除外された突起部分が不要なカスとなってしまい、材料のロスが大きい。多数の山形の突起部分を配列した中間部材を成形によって形成するため、金型が高価なものとなり、そのため、合成樹脂製ネットのバリエーションを多くすることがし難い。
【０００９】
そのため、材料のロスが少なく、伸縮性を付与し易く、厚み等の自由度が大きく、製造コストを抑えることができる合成樹脂製ネットの製造方法及び合成樹脂製ネットが望まれている。
【課題を解決するための手段】
【００１０】
かかる課題を解決するために、第１の本発明の合成樹脂製ネットの製造方法は、熱可塑性の合成樹脂製シートに複数のスリットを設ける第１の工程と、設けられたスリットを穴形状に変化させる力が付与された状態で加熱成形する第２の工程とを含むことを特徴とする。
【００１１】
第１の本発明の合成樹脂製ネットは、熱可塑性の合成樹脂製シートに複数のスリットを設けた後、設けられたスリットを穴形状に変化させる力が付与された状態で加熱成形することにより製造されたことを特徴とする。
【発明の効果】
【００１２】
本発明によれば、材料のロスが少なく、伸縮性を付与し易く、厚み等の自由度が大きく、製造コストを抑えることができる合成樹脂製ネットの製造方法及び合成樹脂製ネットを提供できる。
【図面の簡単な説明】
【００１３】
【図１】第１の実施形態に係る合成樹脂製ネットの製造方法の手順を示す工程図である。
【図２】第１の実施形態に係る合成樹脂製ネットの製造方法における各工程終了時のワークの形状を示す概略平面図である。
【図３】第１の実施形態で合成樹脂製シートに設けるスリット形状の変形例を示す概略平面図である。
【図４】第２の実施形態に係る合成樹脂製ネットの製造方法の手順を示す工程図である。
【図５】第２の実施形態の変形例の手順を示す工程図である。
【図６】第３の実施形態における第１の工程が終了した段階の合成樹脂製シートを示す概略平面図である。
【発明を実施するための形態】
【００１４】
（Ａ）第１の実施形態
以下、本発明による合成樹脂製ネットの製造方法及び合成樹脂製ネットの第１の実施形態を、図面を参照しながら説明する。
【００１５】
図１は、第１の実施形態に係る合成樹脂製ネットの製造方法の手順を示す工程図であり、図２は、各工程の終了時のワークの形状を示す概略平面図である。
【００１６】
第１の実施形態の合成樹脂製ネットの製造方法は、第１の工程Ｐ１と第２の工程Ｐ２とを有する。第１の工程Ｐ１では、処理対象のワークである合成樹脂製シート１に対して多数のスリット２を設ける。第２の工程Ｐ２では、スリット２が設けられた後の合成樹脂製シート１の、スリットに直交する方向の両端を逆方向に引っ張って、スリット部分が穴のようになった形状の状態にし、その状態のまま加熱して成形する。加熱成形が終了し、常温に復帰した際には、合成樹脂製ネット３が形成されている。
【００１７】
ここで、処理対象の合成樹脂製シート１は、熱可塑性樹脂であればその材質は問われないものであり、発泡体であっても良い。例えば、ポリエチレン樹脂や塩化ビニル樹脂等の多く生産されている合成樹脂を適用することができる。合成樹脂製シート１の厚みは、加熱成形が可能な厚みであれば良く、加熱成形が可能であれば１ｃｍ程度であっても良い。
【００１８】
図２（Ａ）は、スリット２が設けられた後の合成樹脂製シート１を示す概略平面図である。スリット２の形成方法は問われないものである。例えば、カッタによってスリット２を設けるようにしても良く、また例えば、レーザビームやウオータージェットを照射してスリット２を設けるようにしても良い。
【００１９】
図２（Ａ）は、全てのスリット２が合成樹脂製シート１の長手方向に沿って設けられた例を示している。同一直線上に複数のスリット２が設けられている。同一直線上に設けられた隣接するスリット２、２間の連結距離（上側スリットの下端から下側スリットの上端の距離）ｄは、例えば、スリット２の長さの１／３程度に選定されている。また、スリット２が設けられている隣接する直線間の距離も、例えば、スリット２の長さの１／３程度に選定されている。隣接する直線のスリットの上下方向の位置は、同一直線上に設けられた隣接するスリット２、２の中心間距離の半分だけずれている。
【００２０】
スリット２の形状や配置は、図２（Ａ）に示すものに限定されない。図３（Ａ）は、スリット２の形状が波形の例を示し、図３（Ｂ）は、スリット２の形状がＳ字状の例を示している。
【００２１】
上述のようにスリット２が配置された合成樹脂製シート１は、その左右の端部を逆方向に引っ張ると、スリット２の部分が穴形状に変化し、その穴形状も引張り力によって変わるものとなる。図２（Ｂ）は、図２（Ａ）に示すスリット２の部分が変化した穴形状が、正方形になる程度の引張り力を加えた場合を示している。このような引張り力を付与しつつ加熱成形を行うことで、スリット２の部分が穴形状に変化した合成樹脂製シート１の全体の形状が、熱を加えられない限り、恒久的なものとなり、合成樹脂製ネットが形成されたことになる。
【００２２】
図２（Ｂ）は、加熱成形での金型の加圧面が平面状のものである場合を示している。しかしながら、金型の加圧面は平面状に限定されない。例えば、第１の実施形態の合成樹脂製ネットの用途が、靴の中敷きのような場合には、金型は、中敷きの面に応じた緩やかな曲面を持つものとなる。
【００２３】
第２の工程Ｐ２における引張り力付与（外力付与）、加熱、成形は、これらがワークに対して実行されるのであれば、その順序や並行処理の有無等は任意である。例えば、加熱後に、引張り力などの外力付与を開始し、その後、成形するようにしても良い。また例えば、外力付与と成形とを並行的に実行するようにしても良い。例えば、スリットが設けられた合成樹脂製シート１をお湯に浸して加熱し、加熱された合成樹脂製シート１を引張りながら、骨折箇所近傍の人間の表面に、冷却シート等を介して押し当てて成形させ、添え木として機能するような合成樹脂製ネットを形成させることができる。
【００２４】
なお、加熱成形によって得られた合成樹脂製ネットは、それ自体が販売品となっても良く、さらに所望の加工がなされて販売品となっても良い。所望の加工として、円形その他の任意形状の抜き切断を挙げることができる。また、２次加工（２次の加熱成形）で所望の曲面を付与するようにしても良い。なお、シート状物品を伴う合成樹脂製ネットの形成については、第２の実施形態で後述する。
【００２５】
第１の実施形態によれば、合成樹脂製ネットを形成させる際に、スリットの形成による多少のカスは出るが、穴形状を有する、スリット形成時のカスに比べてかなり大きなカスが出ることはなく、材料を有効に利用できている。そのため、材料面から、製造コストを抑えることができる。
【００２６】
また、第１の実施形態によれば、合成樹脂製シートに対するスリット形成、及び、スリットが形成された外合成樹脂製シートに対する力を付与した加熱成形という単純な２工程で合成樹脂製ネットを形成することができる。そのため、製造に必要な装置構成や設備を、簡単、安価なものとし得る。
【００２７】
さらに、厚みが異なる合成樹脂製ネットを同一設備、同一装置で容易に形成することができる。すなわち、第１の実施形態の製造方法は、厚みに対する対応力が高いものとなっている。
【００２８】
さらにまた、第１の実施形態によれば、加熱成形時の金型の成形面の選定により、バリエーションに富んだ合成樹脂製ネットを同一設備、同一装置で容易に形成することができる。
【００２９】
また、第１の実施形態によれば、スリットを穴形状に変化させているため、合成樹脂製ネットの形成後においても、少なくともスリットの直交方向に対して伸縮性が良好なものである。スリットの長手方向に平行な方向を中心とした折曲げ性も高いものである。すなわち、伸縮性や折曲げ性が求められた用途に適したものである。
【００３０】
（Ｂ）第２の実施形態
次に、本発明による合成樹脂製ネットの製造方法及び合成樹脂製ネットの第２の実施形態を、図面を参照しながら説明する。
【００３１】
図４は、第２の実施形態に係る合成樹脂製ネットの製造方法の手順を示す工程図であり、第１の実施形態の手順を示す図１との同一、対応部分には同一符号を付して示している。
【００３２】
第２の実施形態の合成樹脂製ネットの製造方法は、第１の実施形態におけると同様な第１の工程Ｐ１及び第２の工程Ｐ２の後に、シート状物品のラミネートを行う第３の工程Ｐ３を有する。
【００３３】
この第３の工程Ｐ３では、形成された合成樹脂製ネットの一面又は両面にシート状物品をラミネートする。ラミネートされるシート状物品は、生地（例えばカーボンファイバで織られたものを含む）、フェルト、プラスチック（プラスチック発泡体を含む）、皮革、合成皮革、不織布、紙、金属箔等の既存のシート状物品を適用できる。合成樹脂製ネットとシート状物品との接合には接着剤を用いても良い。また、合成樹脂製ネットとシート状物品とを重ねた状態で加熱加圧することにより、接着剤を用いることなく、合成樹脂製ネットとシート状物品とを接合させるようにしても良い（特開２００２−３０７５４４号公報参照）。
【００３４】
なお、所望の曲面を付与することは、ラミネートを行う前に実行するようにしても良く、また、接合のために、合成樹脂製ネットとシート状物品とを重ねた状態で加熱加圧する際に合わせて行うようにしても良く、さらに、合成樹脂製ネットとシート状物品とを接合した後に行うようにしても良い。
【００３５】
合成樹脂製ネットとシート状物品との機能分けは任意であって良い。例えば、合成樹脂製ネットが芯材、補強材として機能するものであっても良い。また例えば、合成樹脂製ネットは、その網目によって他の部材（例えば各種センサ）を取り付けることを基本機能としたものであっても良い。シート状物品は、合成樹脂製ネットの網目を塞ぐものとして機能しても良く、また、装飾など、シート状物品の方が中心部材になっていても良い。上述した靴の中敷きに適用する場合、カーボンファイバで織られた生地をラミネートすることにより、生地が消臭効果を発揮するようにしても良い。
【００３６】
図５は、第２の実施形態に係る合成樹脂製ネットの製造方法の変形例における手順を示す工程図である。
【００３７】
この変形例では、ラミネートの工程Ｐ３を加熱成形工程Ｐ２より先に実行する。従って、ラミネート工程Ｐ３では、スリットが設けられた合成樹脂製シートにシート状物品をラミネートし、加熱成形工程Ｐ２では、シート状物品が接合された合成樹脂製シートの、スリットに直交する方向の両端を逆方向に引っ張って、スリット部分が穴のようになった形状の状態にし、その状態のまま加熱して成形する。この変形例の場合、ラミネート後に加熱成形されるので、シート状物品は伸縮性に富んでいることを要する。
【００３８】
合成樹脂製ネットの両面にそれぞれ、表面用シート状物品及び裏面用シート状物品をラミネートする場合において、図４に示すように、表面用シート状物品及び裏面用シート状物品のラミネートを共に加熱成形後に行うようにしても良く、図５に示すように、表面用シート状物品及び裏面用シート状物品のラミネートを共に加熱成形前に行うようにしても良く、表面用シート状物品及び裏面用シート状物品の一方のラミネートを加熱成形前に行うと共に他方のラミネートを加熱成形後に行うようにしても良い。
【００３９】
また、加熱成形工程Ｐ２及びラミネート工程Ｐ３を同時に行うようにしても良い。この場合のラミネート方法は、合成樹脂製ネットとシート状物品とを重ねた状態で加熱加圧することにより、接着剤を用いることなく、合成樹脂製ネットとシート状物品とを接合させる方法となっている。
【００４０】
第２の実施形態によれば、製造コストが安価な合成樹脂製ネットを利用して、合成樹脂製ネットにシート状物品をラミネートした物品を得ることができ、その物品の製造コストも抑えることができる。
【００４１】
（Ｃ）第３の実施形態
次に、本発明による合成樹脂製ネットの製造方法及び合成樹脂製ネットの第３の実施形態を、図面を参照しながら説明する。
【００４２】
第３の実施形態の製造方法も、第１の実施形態に係る図１や、第２の実施形態に係る図４又は図５に示す手順に従うものである。但し、合成樹脂製シートに対して多数のスリットを設ける第１の工程Ｐ１の詳細が、既述した実施形態とは異なる。
【００４３】
図６は、第３の実施形態における第１の工程Ｐ１が終了した段階の合成樹脂製シート１を示す概略平面図である。すなわち、第３の実施形態における第１の工程Ｐ１では、スリット２を、合成樹脂製シート１の全面に設けるのではなく、合成樹脂製シート１の一部の領域にスリット２を設ける。
【００４４】
図６（Ａ）及び図６（Ｂ）は、円形の合成樹脂製シート１の中央部の円形領域Ｒ１にスリット２が設けられ、円形領域Ｒ１の周囲の円環領域Ｒ２にはスリット２が設けられていない例を示している。図６（Ａ）は、全てのスリット２が同一方向に向かう直線状のものを示しており、図６（Ｂ）は、スリット２が螺旋状に配列されたものを示している。図６（Ｃ）は、長円状の合成樹脂製シート１の長手方向中央部の領域Ｒ３にスリット２が設けられ、長手方向の両端側の領域Ｒ４及びＲ５にはスリット２が設けられていない例を示している。
【００４５】
スリット２が設けられた領域Ｒ１、Ｒ３は、後続の第２の工程Ｐ２によってネット状になる領域であり、一方、スリット２が設けられていない領域Ｒ２、Ｒ４、Ｒ３は、後続の第２の工程Ｐ２を経てもネット状にならない領域である。すなわち、第３の実施形態の製造方法を適用すると、ネット状領域と非ネット状領域とが混在する合成樹脂製ネットを形成することができる。
【００４６】
例えば、図６（Ａ）又は図６（Ｂ）に示すような、中央部の円形領域Ｒ１にスリット２が設けられた合成樹脂製シート１を加熱成形する際には、平面から半球状に盛り上がった部分を有する金型と平面から半球状に凹んだ金型とを利用し、金型の半球状部分にスリット２が設けられた円形領域Ｒ１を合わせて加熱成形すれば、ハット状の物品を形成することができ、しかも、山形部分だけをネット構成とすることができる。ここで、円形領域Ｒ１が半球状部分に押されることは、スリット２を穴化するための外力が加わったことになる。
【００４７】
第３の実施形態によれば、部分的にネット形状の合成樹脂製ネットを容易かつ安価に形成することができる。
【００４８】
（Ｄ）他の実施形態
上記第２の実施形態では、図４又は図５に示したように、スリットが設けられた合成樹脂製シートに対してシート状物品をラミネートするものを示したが、合成樹脂製シートに対してシート状物品をラミネートした後、スリットを設け、加熱成形により合成樹脂製ネットを形成させるようにしても良い。
【００４９】
上記各実施形態の説明でも、本発明の合成樹脂製ネットの用途に言及したが、本発明の合成樹脂製ネットの用途が上述の例に限定されないことは勿論である。
【符号の説明】
【００５０】
１…合成樹脂製シート、２…スリット、３…合成樹脂製ネット。
【図１】
2011020358.tif 000003
【図２】
2011020358.tif 000004
【図３】
2011020358.tif 000005
【図４】
2011020358.tif 000006
【図５】
2011020358.tif 000007
【図６】
2011020358.tif 000008